(57)【要約】  デュアル伝送ストリーム内のターボストリームのみをロバストに処理することができるアウタエンコーダを開示する。本発明によるアウタエンコーダは、ターボストリームからデータビットを検出するビット検出部と、データビットをコンボルーションエンコードするエンコーダ部と、及びエンコード値をターボストリームに挿入するビット挿入部とを含む。ここで、エンコーダ部は、第１レジスタと、第１レジスタ格納値がシフトされる第２レジスタと、第２レジスタ格納値がシフトされる第３レジスタと、入力されたビット値と、第１レジスタ格納値、及び第３レジスタ格納値を加算する第１加算器と、及び入力されたビット値、第１レジスタ格納値、第２レジスタ格納値を加算して出力する第２加算器とを含む。
2009524940.tif 000002
【特許請求の範囲】
【請求項１】
パリティ挿入領域が設けられたターボストリームを受信して、前記ターボストリームからデータビットを検出するビット検出部と、
前記データビットをコンボルーションエンコードするエンコーダ部と、及び
前記エンコーダ部から出力されるエンコード値を前記パリティ挿入領域に挿入するビット挿入部とを含むことを特徴とするアウタエンコーダ。
【請求項２】
前記エンコーダ部は、第１レジスタと、
前記第１レジスタにビット値が格納されれば、前記第１レジスタに予め格納された格納値がシフトされて格納される第２レジスタと、
前記第２レジスタにビット値が格納されれば、前記第２レジスタに予め格納された格納値がシフトされて格納される第３レジスタと、
所定のビットが入力されれば、前記入力されたビット値と、前記第１レジスタに予め格納された格納値と、前記第３レジスタに予め格納された格納値とを加算して加算結果値を前記第１レジスタに格納する第１加算器と、及び、
前記入力されたビット値と、前記第１レジスタに予め格納された格納値と、前記第２レジスタに予め格納された格納値とを加算して出力する第２加算器とを含むことを特徴とする請求項１に記載のアウタエンコーダ。
【請求項３】
前記エンコーダ部は、前記ビット検出部から検出されたデータビットを検出順序の逆順に１つずつ受信して、コンボルーションエンコードすることを特徴とする請求項１に記載のアウタエンコーダ。
【請求項４】
前記ビット挿入部は、前記エンコーダ部でコンボルーションエンコードされて出力されるエンコード値をエンコード順序の逆順に１つずつ前記パリティ挿入領域に挿入することを特徴とする請求項３に記載のアウタエンコーダ。
【請求項５】
前記パリティ挿入領域は、前記ターボストリームの各データビットに連続して配置された１つのビットにより構成されることを特徴とする請求項１に記載のアウタエンコーダ。
【請求項６】
前記パリティ挿入領域は、前記ターボストリームの各データビットに連続して配置された１つのビットにより構成されることを特徴とする請求項２に記載のアウタエンコーダ。
【請求項７】
前記パリティ挿入領域は、前記ターボストリームの各データビットに連続して配置された３つのビットにより構成されることを特徴とする請求項１に記載のアウタエンコーダ。
【請求項８】
前記パリティ挿入領域は、前記ターボストリームの各データビットに連続して配置された３つのビットにより構成されることを特徴とする請求項２に記載のアウタエンコーダ。
【請求項９】
前記ビット挿入部は、前記各データビットのエンコード値を前記各データビットに連続して配置された３つのビットのうち第１番目及び第３番目のビットに挿入し、前記各データビットと同じビット値を前記３つのビットのうち第２番目のビットに挿入することを特徴とする請求項7に記載のアウタエンコーダ。
【請求項１０】
前記ビット挿入部は、前記各データビットのエンコード値を前記各データビットに連続して配置された３つのビットのうち第１番目及び第３番目のビットに挿入し、前記各データビットと同じビット値を前記３つのビットのうち第２番目のビットに挿入することを特徴とする請求項8に記載のアウタエンコーダ。
【請求項１１】
前記ビット検出器により前記ターボストリームが受信されると、前記パリティ挿入領域にゼロデータが記録されることを特徴とする請求項１に記載のアウタエンコーダ。
【請求項１２】
前記ビット検出器によりターボストリームが受信されると、前記パリティ挿入領域にヌルデータが記録されることを特徴とする請求項１に記載のアウタエンコーダ。
【請求項１３】
ノーマルストリーム及びパリティ挿入領域が設けられたターボストリームを含むデュアル伝送ストリームを受信して、前記ターボストリームからデータビットのみ検出するビット検出部と、
前記検出されたデータビットの各々に対してコンボルーションエンコードしたエンコード値を出力するエンコーダ部と、及び
前記出力されるエンコード値を前記ターボストリーム内のパリティ挿入領域に挿入するビット挿入部とを含むことを特徴とするアウタエンコーダ。
【請求項１４】
パリティ挿入領域が設けられたターボストリームを受信して、前記ターボストリームからデータビットを検出する段階と、
複数個のレジスタ及び複数個の加算器を備えたエンコーダ部を用いて前記データビットをコンボルーションエンコードする段階と、及び
前記エンコードされた値を前記パリティ挿入領域に挿入する段階とを含むことを特徴とするアウタエンコード方法。
【請求項１５】
前記エンコーダ部は、第１レジスタと、前記第１レジスタにビット値が格納されれば、前記第１レジスタに予め格納された格納値がシフトされて格納される第２レジスタと、前記第２レジスタにビット値が格納されれば、前記第２レジスタに予め格納された格納値がシフトされて格納される第３レジスタと、所定のビットが入力されれば、前記入力されたビット値と、前記第１レジスタに予め格納された格納値及び前記第３レジスタに予め格納された格納値を加算して加算結果値を前記第１レジスタに格納する第１加算器と、及び前記入力されたビット値、前記第１レジスタに予め格納された格納値、及び前記第２レジスタに予め格納された格納値を加算して出力する第２加算器とを含むことを特徴とする請求項14に記載のアウタエンコード方法。
【請求項１６】
前記パリティ挿入領域は、前記ターボストリームの各データビットに連続して配置された１つのビットであることを特徴とする請求項14に記載のアウタエンコード方法。
【請求項１７】
前記パリティ挿入領域は、前記ターボストリームの各データビットに連続して配置された１つのビットであることを特徴とする請求項15に記載のアウタエンコード方法。
【請求項１８】
前記パリティ挿入領域は、前記ターボストリームの各データビットに連続して配置された３つのビットであることを特徴とする請求項14に記載のアウタエンコード方法。
【請求項１９】
前記パリティ挿入領域は、前記ターボストリームの各データビットに連続して配置された３つのビットであることを特徴とする請求項15に記載のアウタエンコード方法。
【請求項２０】
前記エンコード値を挿入する段階は、前記各データビットのエンコード値を前記各データビットに連続して配置された３つのビットのうち第１番目及び第３番目ビットに挿入し、前記各データビットと同じビット値を前記３つのビットのうち第２番目ビットに挿入することを特徴とする請求項18に記載のアウタエンコード方法。
【請求項２１】
前記エンコード値を挿入する段階は、前記各データビットのエンコード値を前記各データビットに連続して配置された３つのビットのうち第１番目及び第３番目ビットに挿入し、前記各データビットと同じビット値を前記３つのビットのうち第２番目ビットに挿入することを特徴とする請求項19に記載のアウタエンコード方法。
【請求項２２】
前記ターボストリームが受信されると、前記パリティ挿入領域にゼロデータが記録されることを特徴とする請求項14に記載のアウタエンコード方法。
【請求項２３】
前記ターボストリームが受信されると、前記パリティ挿入領域にヌルデータが記録されることを特徴とする請求項14に記載のアウタエンコード方法。
【発明の詳細な説明】
【技術分野】
【０００１】
本発明は、デジタル放送用伝送ストリームのロバストな処理のためのアウタエンコーダ及びその方法に関し、より詳細には、米国向け地上波ＤＴＶシステムであるＡＴＳＣ  ＶＳＢ方式の受信性能を向上させるため、ノーマルストリームとターボストリームを含むデュアル伝送ストリームを生成して送信し、特に、ターボストリームが一層ロバストに送信されるようにターボストリームに対するエンコードを行うアウタエンコーダ及びその方法に関するものである。
【背景技術】
【０００２】
米国向け地上波デジタル放送システムであるＡＴＳＣ  ＶＳＢ方式は、シングルキャリアー方式で、３１２セグメント単位でフィールド同期信号（field  sync）が使用されている。このため、劣悪なチャネル、特にドップラフェージングチャネルにおける受信性能が良くない。
【０００３】
図１は一般の米国向け地上波デジタル放送システムとしてＡＴＳＣ  ＤＴＶ規格による送受信機を示すブロック図である。図１のデジタル放送送信機はPhilipsが提案したＥＶＳＢ  ｓｙｓｔｅｍとして、基準ＡＴＳＣ  ＶＳＢシステムのノーマルデータ（Normal  data）にロバストデータ（Robust  data）を追加したデュアルストリーム（Dual  stream）を形成して伝送することができるように構成した方式である。
【０００４】
図１に示されるように、デジタル放送送信機は、デュアルストリームをランダム化するランダム化部１１、伝送過程でチャネル特性により発生するエラーを訂正するため伝送ストリームにパリティバイトを追加するコンキャティネイト符号化器（Concatenated  coder）形態のリードソロモンエンコーダ（Reed-Solomon  encoder）１２、ＲＳエンコードされたデータを所定パターンによりインターリーブを行うインターリーバ１３、及びインターリーブされたデータに対し２／３比率でトレリスエンコードを行い８レベルシンボルでマッピングを行うトレリスエンコーダ（２／３rate  trellis  encoder）１４を含み、デュアルストリームに対するエラー訂正符号化を行う。
【０００５】
さらに、デジタル放送送信機は、エラー訂正符号化が行われたデータに対して図２のデータフォマットのようにフィールドシンク（field  Sync）とセグメントシンク（Segment  Sync）を挿入する多重化部１５及びセグメント同期信号とフィールド同期信号が挿入されたデータシンボルに所定のＤＣ値を付加してパイロットトーンを挿入し、パルス成形してＶＳＢ変調を行い、ＲＦチャネル帯域の信号に変換（up-converting）して伝送する変調部１６を含む。
【０００６】
これにより、デジタル放送送信機はノーマルデータとロバストデータを１つのチャネルで送信するデュアルストリーム方式に従ってノーマルデータとロバストデータがマルチプレクシングされて（図示しない）ランダム化部１１に入力される。入力されたデータはランダム化部１１によりデータランダム化し、ランダム化されたデータは外部符号化器（Outer  coder）であるリードソロモンエンコーダ１２を介して外部符合化し、インターリーバ１３を介して符号化されたデータを分散させる。さらに、インターリーブされたデータを１２シンボル単位でトレリスエンコード部１４により内部符合化して、内部符合化されたデータに対し８レベルシンボルでマッピングを行った後、フィールド同期信号とセグメント同期信号を挿入し、その後パイロットトーンを挿入してＶＳＢ変調を実現し、ＲＦ信号に変換して伝送するようになる。
【０００７】
一方、図１のデジタル放送受信機は、チャネルを介して受信されたＲＦ信号を基底信号に変換するチューナ（図示しない）、変換された基底信号に対し同期検出及び復調を行う復調部２１、復調された信号に対しマルチパスにより発生したチャネルの歪を補償する等化部２２、等化された信号に対しエラーを訂正しシンボルデータに復号するビタビデコーダ２３、デジタル放送送信機のインターリーバ１３により分散されたデータを再整列するデインターリーバ２４、エラーを訂正するＲＳデコーダ２５、ＲＳデコーダ２５により訂正されたデータを逆ランダム化（derandomize）してＭＰＥＧ−２伝送ストリームを出力する逆ランダム化部２６を含む。
【０００８】
このように、図１のデジタル放送受信機は、デジタル放送送信機の逆過程によりＲＦ信号を基底帯域に変換（Down-converting）し、変換された信号を復調及び等化した後、チャネルデコードを行って元信号を復元する。
【０００９】
図２は米国向けデジタル放送（８−ＶＳＢ）システムのセグメント同期信号及びフィールド同期信号が挿入されたＶＳＢデータフレームを示す。図示するように、１つのフレームは２つのフィールドで構成され、１つのフィールドは第１セグメントである１つのフィールド同期信号セグメント（field  sync  segment）と、３１２個のデータセグメントとで構成される。また、ＶＳＢデータフレームで１つのセグメントはＭＰＥＧ−２パケット１つに対応し、１つのセグメントは４シンボルのセグメント同期信号（segment  sync）と８２８個のデータシンボルで構成される。
【００１０】
図２のように、同期信号であるセグメント同期信号とフィールド同期信号はデジタル放送受信機側で同期及び等化のために使用される。すなわち、フィールド同期信号及びセグメント同期信号は、デジタル放送送信機及び受信機の間で既に知られたデータとして受信機側で等化を行う際に基準信号（Reference  Signal）として使用される。
【００１１】
図１の米国向け地上波デジタル放送システムは、既存ＡＴＳＣ  ＶＳＢシステムのノーマルデータにロバストデータを追加してデュアルストリームを形成して伝送することができるように構成された方式で、既存のノーマルデータとロバストデータを共に伝送する。
【００１２】
しかし、図１の米国向け地上波デジタル放送システムは、ロバストデータの追加によるデュアルストリーム伝送にも拘わらず、既存のノーマルデータストリーム伝送によるマルチパスチャネルにおける劣悪な受信性能を改善する効果はほとんどないという問題点がある。すなわち、ノーマルストリームの改善による受信性能の改善効果がほとんどないという問題点がある。さらに、ターボストリームに対してもマルチパス環境で受信性能の改善効果が大きくないという問題点があった。そこで、ターボストリームに対する受信性能を改善するため、ターボストリームを一層ロバストに処理するための必要性が高まっている。
【特許文献１】韓国特許公開第２００４−００６３７７９号公報
【特許文献２】韓国特許公開第２００３−００２６２３６号公報
【特許文献３】韓国特許公開第２００５−００７７２５５号公報
【特許文献４】韓国特許公開第２００２−００９４４２６号公報
【特許文献５】韓国特許公開第２００３−０００７８４７号公報
【特許文献６】米国特許公開第２００２０１９４５７０号公報
【発明の開示】
【発明が解決しようとする課題】
【００１３】
そこで、本発明は上記従来の問題点に鑑みてなされたものであって、本発明の目的は、米国向け地上波ＤＴＶシステムであるＡＴＳＣ  ＶＳＢ方式の受信性能を向上させるため、ノーマルストリームとターボストリームを含むデュアル伝送ストリームのうちターボストリームをエンコードするためのアウタエンコーダ及びその方法を提供することである。
【課題を解決するための手段】
【００１４】
上記目的を達成するためになされた本発明の一実施例によるアウタエンコーダは、パリティ挿入領域が設けられたターボストリームを受信して、前記ターボストリームからデータビットを検出するビット検出部と、前記データビットをコンボルーションエンコードするエンコーダ部と、及び前記エンコーダ部から出力されるエンコード値を前記パリティ挿入領域に挿入するビット挿入部とを含む。
【００１５】
好ましくは、前記エンコーダ部は、第１レジスタと、前記第１レジスタにビット値が格納されれば、前記第１レジスタに予め格納された格納値がシフトされて格納される第２レジスタと、前記第２レジスタにビット値が格納されれば、前記第２レジスタに予め格納された格納値がシフトされて格納される第３レジスタと、所定のビットが入力されれば、前記入力されたビット値と、前記第１レジスタに予め格納された格納値と、前記第３レジスタに予め格納された格納値とを加算して加算結果値を前記第１レジスタに格納する第１加算器と、及び、前記入力されたビット値と、前記第１レジスタに予め格納された格納値と、前記第２レジスタに予め格納された格納値とを加算して出力する第２加算器とを含むことを特徴とする。
【００１６】
より好ましくは、前記エンコーダ部は、前記ビット検出部から検出されたデータビットを検出順序の逆順に１つずつ受信して、コンボルーションエンコードする。
【００１７】
この場合、前記ビット挿入部は、前記エンコーダ部でコンボルーションエンコードされて出力されるエンコード値をエンコード順序の逆順に１つずつ前記パリティ挿入領域に挿入することを特徴とする。
【００１８】
さらに、前記パリティ挿入領域は、前記ターボストリームの各データビットに連続して配置された１つのビットにより構成されることを特徴とする。
【００１９】
または、前記パリティ挿入領域は、前記ターボストリームの各データビットに連続して配置された３つのビットにより構成されることを特徴とする。
【００２０】
この場合、前記ビット挿入部は、前記各データビットのエンコード値を前記各データビットに連続して配置された３つのビットのうち第１番目及び第３番目のビットに挿入し、前記各データビットと同じビット値を前記３つのビットのうち第２番目のビットに挿入することを特徴とする。
【００２１】
好ましくは、前記ビット検出器により前記ターボストリームが受信されると、前記パリティ挿入領域にゼロデータが記録されることを特徴とする。
【００２２】
好ましくは、前記ターボストリームが受信されると、前記パリティ挿入領域にヌルデータが記録されることを特徴とする。
【００２３】
一方、本発明の他の実施例によるアウタエンコーダは、ノーマルストリーム及びパリティ挿入領域が設けられたターボストリームを含むデュアル伝送ストリームを受信して、前記ターボストリームからデータビットのみ検出するビット検出部と、前記検出されたデータビットの各々に対してコンボルーションエンコードしたエンコード値を出力するエンコーダ部と、及び、前記出力されるエンコード値を前記ターボストリーム内のパリティ挿入領域に挿入するビット挿入部と、を含む。
【００２４】
一方、本発明の一実施例によるアウタエンコード方法は、パリティ挿入領域が設けられたターボストリームを受信して、前記ターボストリームからデータビットを検出する段階、複数個のレジスタ及び複数個の加算器を備えたエンコーダ部を用いて前記データビットをコンボルーションエンコードする段階、及び前記エンコードされた値を前記パリティ挿入領域に挿入する段階を含むことを特徴とする。
【００２５】
この場合、前記エンコーダ部は、第１レジスタと、前記第１レジスタにビット値が格納されれば、前記第１レジスタに予め格納された格納値がシフトされて格納される第２レジスタと、前記第２レジスタにビット値が格納されれば、前記第２レジスタに予め格納された格納値がシフトされて格納される第３レジスタと、所定のビットが入力されれば、前記入力されたビット値と、前記第１レジスタに予め格納された格納値及び前記第３レジスタに予め格納された格納値を加算して加算結果値を前記第１レジスタに格納する第１加算器と、及び前記入力されたビット値、前記第１レジスタに予め格納された格納値、及び前記第２レジスタに予め格納された格納値を加算して出力する第２加算器とを含むことを特徴とする。
【００２６】
ここで、前記パリティ挿入領域は、前記ターボストリームの各データビットに連続して配置された１つのビットであることを特徴とする。
【００２７】
または、前記パリティ挿入領域は、前記ターボストリームの各データビットに連続して配置された３つのビットであることを特徴とする。
【００２８】
この場合、前記エンコード値を挿入する段階は、前記各データビットのエンコード値を前記各データビットに連続して配置された３つのビットのうち第１番目及び第３番目ビットに挿入し、前記各データビットと同じビット値を前記３つのビットのうち第２番目ビットに挿入することを特徴とする。
【００２９】
好ましくは、前記ターボストリームが受信されると、前記パリティ挿入領域にゼロデータが記録されることを特徴とする。
【００３０】
好ましくは、前記ターボストリームが受信されると、前記パリティ挿入領域にヌルデータが記録されることを特徴とする。
【発明の効果】
【００３１】
以上のように、本発明によれば、米国向け地上波ＤＴＶシステムであるＡＴＳＣ  ＶＳＢ方式の受信性能を向上させるため、ノーマルストリームとターボストリームを含むデュアル伝送ストリームのうちターボストリームの效果的なエンコードが可能となる。これにより、デュアル伝送ストリームのうちターボストリームのみをロバストに処理できるようになり、マルチパス環境などでも受信性能を改善することができるという効果がある。
【発明を実施するための最良の形態】
【００３２】
以下、添付図を参照して本発明を詳細に説明する。
【００３３】
図３は本発明の一実施例によるアウタエンコーダの構成を示したブロック図である。図３に示したように、本アウタエンコーダ１００は、ビット検出部１１０、エンコーダ部１２０、及びビット挿入部１３０を含む。このアウタエンコーダ１００は、ターボストリーム及びノーマルストリームが混在するデュアル伝送ストリームのうちターボストリームに対してのみアウタエンコードを行う。ターボストリームとは、ＭＰＥＧ２などの所定の圧縮規格に従って圧縮されてロバストに処理されたデータストリームを意味する。
【００３４】
ビット検出部１１０はターボストリームを受信して、ターボストリームのうちデータビットのみを検出する役割をする。ターボストリーム内にはパリティ挿入のためのパリティ挿入領域が形成されている。ビット検出部１１０はパリティ挿入領域を除いた領域のビットをデータビットとして検出する。より詳細には、ビット検出部１１０はターボストリームの変換割合に従って所定個数のデータビットを検出する。すなわち、１／２変換割合に従ってパリティ挿入領域が設けられたターボストリームの場合、１つのバイトから４つのデータビットを検出する。または、１／４変換割合に従ってパリティ挿入領域が設けられたターボストリームの場合は、１つのバイトから２つのデータビットを検出する。
【００３５】
エンコーダ部１２０は、検出されたデータビットを再帰的組織畳み込み符号（ＲＳＣ  Ｃｏｄｅ：recursive  systematic  convolutional  code）の形態でコンボルーションエンコードする。
【００３６】
ビット挿入部１３０は、エンコーダ部１２０から出力されるエンコード値をターボストリーム内のパリティ挿入領域に挿入する。
【００３７】
図４及び図５は本発明のアウタエンコーダ１００におけるエンコード過程を説明するための模式図である。
【００３８】
まず、図４は１／２レイトでエンコードする過程を説明するための模式図である。図４を参照するに、ビット検出部１１０はＤ７  ０  Ｄ６  ０  Ｄ５  ０  Ｄ４  ０からなる１つのバイトからＤ７、Ｄ６、Ｄ５、Ｄ４ビットを検出する。図４において、０で示された部分はパリティを挿入するための領域、すなわち、パリティ挿入領域（または、プレースホルダ）を意味する。すなわち、１つのバイト内の各ビットには連続的に配置された１つのビットからなるパリティ挿入領域が存在する。
【００３９】
ビット検出部１１０は、検出されたビットを検出順序の逆順に整列して１つずつエンコーダ部１２０に入力する。すなわち、Ｄ４、Ｄ５、Ｄ６、Ｄ７と検出された場合、Ｄ７、Ｄ６、Ｄ５、Ｄ４の順にエンコーダ部１２０に入力する。
【００４０】
エンコーダ部１２０はＤ７、Ｄ６、Ｄ５、Ｄ４に対応するエンコード値Ｚ７、Ｚ６、Ｚ５、Ｚ４を順次に出力する。
【００４１】
ビット挿入部１３０はＺ７、Ｚ６、Ｚ５、Ｚ４の順に順次に出力されるエンコード値を整列して、Ｚ４、Ｚ５、Ｚ６、Ｚ７の順にパリティ挿入領域に挿入する。これにより、アウタエンコーダ１００は、Ｄ７  ０  Ｄ６  ０  Ｄ５  ０  Ｄ４  ０バイトをエンコードして、Ｄ７  Ｚ７  Ｄ６  Ｚ６  Ｄ５  Ｚ５  Ｄ４  Ｚ４の形態のバイトを出力するようになる。
【００４２】
図５は１／４レイトでエンコードする過程を説明するための模式図である。図５に示したように、ターボストリームの各バイトは、１つのデータビットに連続的に３つのナルビットが形成された構造を有する。詳しくは、データビットであるＤ７、Ｄ６と、６つのナルビット０が１つのバイトを形成する。
【００４３】
図５を参照するに、ビット検出部１１０は、Ｄ７  ０  ０  ０  Ｄ６  ００  ０からなる１つのバイトから順次にＤ６、Ｄ７ビットを検出する。それからＤ７、Ｄ６の順に整列してエンコーダ部１２０に入力すると、エンコーダ部１２０はＤ７、Ｄ６に対応するエンコード値Ｚ７、Ｚ６を出力する。
【００４４】
ビット挿入部１３０はＺ７、Ｚ６を出力順序の逆順に整列してパリティ挿入領域に挿入する。すなわち、ビット挿入部１３０はＺ６、Ｚ７の順にパリティ挿入領域に挿入する。この場合、各エンコード値は１つのデータビットに連続した３つのビットからなるパリティ挿入領域のうち第１番目及び第３番目のビットに挿入される。また、各データビットと同じ値がパリティ挿入領域のうち第２番目ビットにそのまま複写される。これにより、Ｄ７  ０  ０  ０  Ｄ６  ０  ０  ０からなるバイトがエンコードされると、Ｄ７  Ｚ７  Ｄ７  Ｚ７  Ｄ６  Ｚ６  Ｄ６  Ｚ６バイトが出力される。
【００４５】
図４及び図５ではパリティ挿入領域はゼロデータが記録されているが、ゼロではなく単純ヌルデータが記録されてもよい。
【００４６】
図６は本発明の一実施例によるエンコーダ部１２０の構成を示した模式図である。図６に示すように、本発明のエンコーダ部１２０は、第１及び第２加算器（１２１、１２２）、３つのレジスタＳ２、Ｓ１、Ｓ１（１２３、１２４、１２５）を含む。
【００４７】
第１加算器１２１は、入力されるビット値と、第１レジスタＳ２  １２３の格納値、第３レジスタＳ０  １２５の格納値を加算し、加算された結果値を第１レジスタＳ２  １２３に格納する。第１レジスタＳ２  １２３に予め格納された値は第２レジスタＳ１  １２４にシフトされて格納される。この場合、第１レジスタＳ２  １２３に予め格納された値は第２加算器１２２にも提供される。第２加算器１２２は、第１レジスタＳ２  １２３の格納値と、第２レジスタＳ１  １２４に予め格納された値、入力されるビット値を加算して出力する。第２加算器１２２から出力される値はエンコード値Ｚを意味する。さらに、第２レジスタＳ１  １２４に予め格納された値は第３レジスタＳ０  １２５にシフトされて格納される。シフトにより、第３レジスタＳ０に格納されている値は第１加算器１２１に提供される。これにより、再帰的組織畳み込み符号（ＲＳＣ  Ｃｏｄｅ：recursive  systematic  convolutional  code）形態のコンボルーションエンコードが行われる。
【００４８】
また、図３のアウタエンコーダ１００は、デュアル伝送ストリームを生成して送信するデジタル放送送信システムに適用できる。詳しくは、デジタル放送送信システムは、ノーマルストリームとターボストリームをマックシングしてデュアル伝送ストリームを生成するマックス端（図示せず）と、生成されたデュアル伝送ストリームのうちターボストリームのみをロバストに処理した後、デュアル伝送ストリーム自体に対してエンコード、変調などの処理を行った後に送信するエキサイタ端（図示せず）とを含む。図３のアウタエンコーダ１００は、エキサイタ端内でターボストリームのみを検出してロバストに処理するターボストリーム処理装置に適用できる。
【００４９】
図７は本発明の一実施例によるアウタエンコード方法を説明するためのフローチャートである。図７に示したように、本発明のアウタエンコード方法は、まず、ターボストリームからデータビットを検出する（Ｓ８１０）。データビット検出位置及び検出個数は変換方式に応じて変化する。詳しくは、１／２レート変換方式によれば、１つのバイトから４つのデータビット、すなわち、最右側から２、４、６、８番目のビットを検出する。１／４レート変換方式によれば、１つのバイトから２つのデータビット、すなわち、最右側から４、８番目のビットを検出する。
【００５０】
その後、検出されたデータビットをエンコーダ部に順次に入力する（Ｓ８２０）。エンコーダ部は、図６の構成をそのまま利用することができる。
【００５１】
エンコーダ部は、データビットの入力順にエンコードを行う（Ｓ８３０）。その後、エンコードされた値をパリティ挿入領域に挿入する（Ｓ８４０）。これによってアウタエンコード過程が完了する。
【００５２】
一方、本発明の詳細な説明では、具体的な実施例について説明したが、本発明はこれに限るものでなく、各種の変形が本発明の特許請求の範囲を逸脱しない限り、該当技術分野における通常の知識をもつ者により可能なのは明らかである。また、このような変形実施例は本発明の技術的思想や展望から個別的に理解されてはならない。
【図面の簡単な説明】
【００５３】
【図１】従来のデジタル放送（ＡＴＳＣ  ＶＳＢ）送受信システムの構成を示したブロック図である。
【図２】従来のＡＴＳＣ  ＶＳＢデータのフレーム構造を示した例示図である。
【図３】本発明の一実施例によるアウタエンコーダの構成を示したブロック図である。
【図４】図３のアウタエンコーダの様々なエンコード方式を説明するための模式図である。
【図５】図３のアウタエンコーダの様々なエンコード方式を説明するための模式図である。
【図６】図３のアウタエンコーダにおけるエンコーダ部の細部構成の例を説明するための模式図である。
【図７】本発明の一実施例によるアウタエンコード方法を説明するためのフローチャートである。
【符号の説明】
【００５４】
１００  アウタエンコーダ
１１０  ビット検出部
１２０  エンコーダ部
１３０  ビット挿入部
【図１】
2009524940.tif 000003
【図２】
2009524940.tif 000004
【図３】
2009524940.tif 000005
【図４】
2009524940.tif 000006
【図５】
2009524940.tif 000007
【図６】
2009524940.tif 000008
【図７】
2009524940.tif 000009
【国際調査報告】
2009524940.tif 000010
2009524940.tif 000011
2009524940.tif 000012
2009524940.tif 000013